(57)【特許請求の範囲】
【請求項１】
変動情報と固定情報が印刷された印刷物を作成する方法であって、
ａ．被写体を撮像し前記被写体のデジタル画像データを生成する撮像工程と、ｂ．前記デジタル画像データを印刷処理可能なプリントデータに変換する変換工程と、ｃ．アート紙，コート紙，キャストコート紙，つや紙の何れか１からなり、予め所定の固定情報が平版印刷，凹版印刷，凸版印刷の内いずれか１以上で印刷された固定領域と、変動情報が印刷可能な変動領域と、少なくとも前記変動領域に形成され前記変動情報のみを印刷するためのインクジェット記録用インクがプリントされる塗工層と、を有する記録紙の前記変動領域に、前記変動情報として前記プリントデータをインクジェット記録方式で印刷する印刷工程と、を備え、
前記塗工層が、前記記録紙に前記固定情報が印刷された前記固定領域を形成した後に、前記固定領域を含んで又は含まないで形成されていることを特徴とする印刷物作成方法。
【請求項２】
ａ．前記撮像工程において、前記被写体を撮像し前記被写体の前記デジタル画像データを生成する撮像手段がデジタルカメラであり、ｂ．前記変換工程において、前記デジタル画像データを印刷処理可能な前記プリントデータに変換する変換手段がパーソナルコンピュータであり、ｃ．前記印刷工程において、予め所定の前記固定情報が印刷された前記固定領域と、前記変動情報が印刷可能な前記変動領域と、を有する前記記録紙の前記変動領域に、前記変動情報として前記プリントデータをインクジェット記録方式で印刷する印刷手段がインクジェット記録方式のプリンタであることを特徴とする請求項１に記載の印刷物作成方法。
【請求項３】
前記固定情報が広告情報であり、前記変動情報が前記印刷物を受け取る者の個人情報であることを特徴とする請求項１又は２に記載の印刷物作成方法。
【請求項４】
前記変動情報が前記印刷物を受け取る者の顔写真等の証明写真であることを特徴とする請求項１乃至３の内何れか一項に記載の印刷物作成方法。
【請求項５】
ａ．印刷用紙と、ｂ．前記印刷用紙にオフセット印刷等で印刷された固定情報と、ｃ．前記印刷用紙に塗工されインクジェット記録用インクがプリントされる塗工層と、ｄ．請求項１乃至４の内何れか一項に記載された印刷物作成方法で前記塗工層上に印刷された変動情報と、を備えていることを特徴とする印刷物。
【発明の詳細な説明】
【０００１】
【発明の属する技術分野】
本発明は、広告等の固定情報と個人写真や日替わり商品等の変動情報が印刷された印刷物作成方法、及び固定情報と変動情報が印刷された印刷物に関する。
【０００２】
【従来の技術】
従来より、宿泊施設や各種販売店等の広告チラシや遊園地の入場券等の種々の印刷物が作成されている。
また、近年、撮影機や印刷機の小型化や高性能化が図られ、これにともない種々の印刷物やその作成方法が研究・開発されている。
従来の技術として、例えば、実開平０６−１５３８２号公報（以下、イ号公報という）には、「撮影機を備えた撮影装置内に種々の画像を予め収録した電子画像ファイルと、この電子画像ファイルから複数画像を抽出する画像抽出手段と、撮影された被写体画像をモニタ部に表示する表示手段とこの被写体像を編集する枠決め等を行う画像処理手段とを有し、前記電子画像ファイルから任意の画像をモニタ部に表示し、撮影機によって撮影された被写体像を合体し、前記モニタ部に表示された画像の一部を被写体像に置換して合成写真を作成する画像処理手段を備え、合成写真をプリントする印刷機から構成されるポートレートカード作成装置」が開示されている。
また、特開平０８−１０６５３９号公報（以下、ロ号公報という）には、「催し会場でその催しの出席者に共通に関連する画像を撮影する第１撮影工程と、前記催し会場でその催しの出席者個別の画像を撮影する第２撮影工程と、前記共通画像と個別画像を画像処理装置に入力する入力工程と、画像処理装置に入力された前記共通画像と個別画像の編集とその催しに関連する文字情報を付加する編集工程と、編集された情報に基づく画像を当該催しが終了する迄に複数枚印刷する印刷工程と、からなる催しにおける画像印刷方法」が開示されている。
また、登録実用新案第３０４８５１０号公報（以下、ハ号公報という）には、「適正料金の投入検知により、画像メモリから複数の背景画像を読出し、操作／表示機構の表示画面に表示さる画像処理手段と、表示機構の表示画面に表示された撮影指示用の操作ボタンの位置に対する利用者の操作パネル接触操作に応答し、撮影機構を起動し、利用者の顔写真を撮影させる撮影制御手段と、表示画面に表示させた複数の背景画像のうち操作パネルへの接触操作によって利用者が選択した背景画像と撮影機構によって撮影した利用者の顔写真の画像とを、利用者が操作パネルから指示した位置関係で合成する画像合成手段と、合成された画像を葉書サイズの用紙に印刷して出力する印刷機構とを備える合成画像絵葉書印刷装置」が開示されている。
また、実開昭５８−３８１５０号公報（以下、二号公報という）には、「フイルムの下端部もしくは上端部に連続的に広告情報を印刷してなるカメラ用フイルム」が開示されている。
【０００３】
【発明が解決しようとする課題】
しかしながら、上記従来の技術は以下の課題を有していた。
（１）従来の広告チラシは、全てが固定された情報であり、入手した時点で興味がない商品のものであれば、すぐに破棄されることがほとんどであったので、広告宣伝効果が低く、また、省資源性に欠けるという問題点を有していた。
（２）従来の遊園地等の入場券は、入場者の顔写真等が印刷されていないので、本人の証明がされにくいという問題点を有していた。
（３）イ号公報に記載の技術は、撮影した被写体画像と種々の画像を画像処理手段で合成、加工し、ポートレートカード全面に印刷するため、画像を撮影した後に印刷する領域が広く、印刷物を出力するまでの時間がかかるという問題点を有していた。
（４）ロ号公報に記載の技術は、出席者に共通に関連する画像の撮影と出席者個別の画像を印刷用紙全面に印刷するので、画像を撮影した後に印刷する領域が広く、印刷物を出力するまでの時間がかかるという問題点を有していた。
（５）また、ロ号公報に記載の技術は、出席者に共通に関連する画像の撮影と出席者個別の画像の撮影を行い、それらを編集する作業を、催し中にする必要があり、時間がかかるとともに手順が煩雑になるという問題点を有していた。
（６）また、ロ号公報に記載の技術は、少なくとも２つの画像の編集を行う必要があり、高性能のコンピュータが必要で汎用性に欠けるという問題点を有していた。
（７）ハ号公報に記載の技術は、撮影した利用者の顔写真と背景画像を画像合成手段で合成、加工し、葉書全面に印刷するため、画像を撮影した後に印刷する領域が広く、印刷物を出力するまでの時間がかかるという問題点を有していた。
（８）イ、ハ号公報に記載の技術は、画像同士の合成を必ず行うので、高性能のコンピュータが必要であるという問題点を有していた。
（９）また、イ、ハ号公報に記載の技術は、種々の画像を予め収録しておく必要があり、メモリ等の記憶部の容量が増加するという問題点を有していた。
（１０）イ、ロ、ハ号公報に記載の技術は、広告情報が印刷されないので、広告宣伝効果が極めて少ないという問題点を有していた。
（１１）ニ号公報に記載の技術は、フイルムに文字情報を印刷しなければならないため、フイルムの生産工程が煩雑になるという問題点を有していた。
（１２）また、ニ号公報に記載の技術は、広告情報として、文字情報のみが印刷されるので、図形等と異なり視認性に欠け、その分広告宣伝効果に欠けるという問題点を有していた。
（１３）また、ニ号公報に記載の技術は、被写体に広告情報が被ってしまうことがあり、利用者にとって大事な写真が台無しになってしまう可能性があるという問題点を有していた。
（１４）また、ニ号公報に記載の技術は、写真を現像する必要があり、写真をすぐに提供できないという問題点を有していた。
【０００４】
本発明は上記従来の課題を解決するもので、オフセット印刷等で広告や風景、チケット内容等の固定情報を印刷した記録紙の所定部に形成された変動領域のインクジェット記録用インクの塗工層にインクジェット記録方式の印刷で顧客のスナップ等を一緒に刷り込むことにより顧客に喜ばれる広告等の媒体を即座に提供でき、メモリアルな広告効果を著しく向上させることのできる印刷物作成方法の提供、及び、メモリアルな印刷物として顧客に長期に保管され広告効率等に優れた印刷物の提供を目的とする。
【０００５】
【課題を解決するための手段】
上記課題を解決するために本発明の印刷物作成方法及びそれにより得られる印刷物は、以下の構成を有している。
【０００６】
本発明の請求項１に記載の印刷物作成方法は、変動情報と固定情報が印刷された印刷物を作成する方法であって、ａ．被写体を撮像し被写体のデジタル画像データを生成する撮像工程と、ｂ．デジタル画像データを印刷処理可能なプリントデータに変換する変換工程と、ｃ．アート紙，コート紙，キャストコート紙，つや紙の何れか１からなり、予め所定の固定情報が平版印刷，凹版印刷，凸版印刷の内いずれか１以上で印刷された固定領域と、変動情報が印刷可能な変動領域と、少なくとも変動領域に形成され変動情報のみを印刷するためのインクジェット記録用インクがプリントされる塗工層と、を有する記録紙の変動領域に、変動情報としてプリントデータをインクジェット記録方式で印刷する印刷工程と、を備え、塗工層が、記録紙に固定情報が印刷された固定領域を形成した後に、固定領域を含んで又は含まないで形成されていることを特徴とする構成を有している。
【０００７】
この構成により、以下のような作用が得られる。
（１）予め、広告や風景、文字等（固定情報）が印刷された記録紙に、撮像工程によって、撮像された個人写真や日替わり商品等（変動情報）を印刷することができるので、ＴＰＯに応じてメモリアルな印刷物を作成することができる。
（２）予め、広告や風景、文字等（固定情報）が印刷されており、被写体を撮像した後は、変動領域に被写体の画像を印刷するだけなので、被写体を撮像してから印刷物を出力するまでの時間が短く、従来の記録紙全面にインクジェット記録方式で印刷するのに比べて、印刷物を迅速に作成することができ、また、インクジェット記録用インクの使用量を抑制することができ、生産性に優れる。
（３）インクジェット記録方式の印刷手段を用いるので、迅速に、かつ意匠性に優れた印刷物を低原価で作成することができる。
（４）予め、記録紙に固定情報が印刷されているので、固定情報を記憶するための記憶部を必要とせず、また、固定情報と変動情報を合成する必要が無いので高性能なコンピュータを必要とせず、従来の技術に比べて簡単な構成の装置で実施することが可能である。
（５）また、固定情報として、広告情報を印刷し、変動情報として固定情報に印刷された商品を販売する各販売店の広告情報を印刷することにより、１枚の印刷物に系列内の複数の販売店の広告を併せて載せることができ、広告戦略の多機能化、印刷物の統一化、広告費の削減化を図ることができる。
（６）固定情報として、複数の対象物を印刷し、変動情報として、個人情報を印刷することによって、（例えば、宿泊施設で印刷物を提供する場合は、固定情報として、宿泊施設、宿泊客が行くであろう観光名所、観光名所のキャラクターを印刷し、変動情報として、宿泊客の家族写真等を印刷することによって、）１枚の印刷物から複数の思い出が呼び起こすことのできる斬新でメモリアルな印刷物を提供できる。
（７）予め所定の固定情報が固定領域に平版印刷，凹版印刷，凸版印刷の内いずれか１以上で印刷されるので、鮮明な固定情報が印刷された印刷物を作成することができる。
（８）記録紙が、低原価で大量生産されるので、印刷物の原価も抑えることができ、生産性に優れる。
（９）記録紙の少なくとも変動領域に変動情報を印刷するためのインクジェット記録用インクがプリントされる塗工層を備えているので、インクジェット記録用インクのにじみやくすみがほとんどなく、きれいな画像が長期間保存される印刷物を作成することができる。
（１０）固定領域と変動領域が重なっている場合、すなわち、固定情報に重ねて変動情報を印刷する場合は、固定情報と変動情報との間に塗工層が介在するので、固定情報の印刷用インクと変動情報のインクジェット記録用インクが接することがなく、油性の印刷インクに対して水性のインクジェット記録用インクというような異なるタイプの組み合わせでも、はじきや色むらが極めて生じにくい。
【０００８】
ここで、変動領域は、１つ設けても複数設けてもよく、また、記録紙のどの範囲に設けてもよい。
変動領域の形状としては、三角形状、星型状、雲型状、円形状、卵形状等の自由な形状が適宜選択される。
固定情報は、オフセット印刷等の平板印刷，グラビア印刷等の凹版印刷，凸版印刷等で印刷される。
固定情報を印刷する印刷インクとしては、通常の油性インク，溶剤性インク，水性インク等が用いられる。
固定情報の印刷図柄としては、インクジェット記録方式で印刷する画像（変動情報）の部分を印刷しない、いわゆる“抜き印刷”であってもよい。
印刷物作成方法は、レストランやホテル，結婚式場，観光地，デパート，スーパー，自動車販売店，販売促進のための展示場等で実施される。ホテルや結婚式場で実施される場合には、固定情報としてそのサービス内容や建造物の写真等が印刷され、観光地で実施される場合には固定情報としてその観光名所の写真等が印刷され、デパートやスーパー，レストラン，自動車販売店，販売促進のための展示場等で実施される場合は固定情報として商品等が印刷される。
また、デパートやスーパー，自動車販売店で実施される場合は、変動情報として日替目玉商品等を印刷してもよい。これにより、日毎に印刷用紙全面を印刷する必要がなく、変動情報のみの印刷を行えばよいので低原価で広告紙を作成でき、生産性に優れる。
また、固定情報として賞状を印刷し、可変情報として賞をとった人物や作品の写真を印刷しても良い。
変動情報には、変換工程において、日付や名称等の文字情報を付加してもよい。
撮像工程で用いられる撮像手段としては、デジタルカメラやデジタルビデオ等が用いられ、変換工程で用いられる変換手段としては、パーソナルコンピュータ等が用いられ、印刷工程で用いられる印刷手段としては、インクジェットプリンタ等が用いられるが、撮像手段と変換手段と印刷手段の内２体又は全部が一体化した装置を用いてもよい。
【００１３】
ここで、塗工層は、変動領域のみに形成してもよいし、印刷用紙の全面に形成してもよい。変動領域のみに形成する場合は、塗工剤の使用量を少なくすることができるので、低原価で生産することができ、かつインクジェット記録用インクを確実にプリントさせることができる。
塗工層を形成する塗工剤としては、カゼイン，合成蛋白等の蛋白質類，酸化でん粉，エステル化でん粉等の各種でん粉類，セルロース類，ポリビニルアルコール等，水に対して湿潤性を有するバインダー樹脂；カチオン変性ポリビニルアルコール類，アニオン変性ポリビニルアルコールの４級アンモニウム塩，ポリアクリルアミド，ポリアルキルアクリルアミド等，インクジェット記録用インクの着色剤として使用される染料の定着性に優れたバインダー樹脂；さらにはアクリル樹脂，ポリウレタン樹脂，ポリエステル樹脂等，接着性の良好なバインダー樹脂等から選択される１種または２種以上を適宜の溶剤に溶解，分解し、これにシリカ，アルミナゾル，硫酸バリウム，炭酸カルシウム，クレー，タルク等で、好ましくは多孔質で、層状あるいは板状の無機顔料やプラスチックピグメント等の１種または２種以上を分散させて得られ、さらに必要に応じて各種添加剤を含有する塗工剤を挙げることができる。
また、塗工層は１層であってもよく、２層以上を重ねて形成してもよい。また、印刷用紙の全面にわたって形成してもよく、部分的に形成してもよい。印刷物の全面、あるいは部分的であっても固定情報に重ねて塗工層を設ける場合は、広告情報を隠蔽しないように、極力、透明度の高い塗工層を形成することが好ましい。また、固定情報の印刷インクがにじみやブリードを起こさないように、インクを溶解させない塗工剤で塗工層を形成することが好ましい。固定情報が印刷されていない部分のみに塗工層を形成する場合は、透明，不透明いずれの塗工層を形成してもよい。
また、塗工層を形成する方法としては、ロールコーター，グラビアコーター，フレキソコーター，ブレードコーター，ロッドコーター，エアナイフコーター等の各種塗工機の他、平版印刷機，凸版印刷機，凹版印刷機の印刷ユニットが利用でき、その中でも、ロールコーター，グラビアコーター，フレキソコーター，および平版印刷機，凸版印刷機，凹版印刷機の印刷ユニットは、塗工層を部分的に設けることが可能である。さらに、アニロックスロールとゴムロールを備えるフレキソ方式の塗工機等を利用すると、容易に膜厚の厚い、たとえば膜厚が５〜２０μｍ程度の塗工層の形成ができ、より好適である。
また、特に固定情報の印刷インクが十分に乾燥していない状態でも、印刷面で平滑な塗工層を形成できる塗工剤を利用すると、固定情報の印刷と塗工層の形成が一連の工程（インライン方式）で行うことが可能であるという点から好適である。この様な塗工層用の塗工剤としては、要求される透明度や塗工適性を維持できる範囲で無機顔料やプラスチックピグメントを高濃度で含有するタイプのもの等が好ましく使用される。このインライン方式で塗工層を形成する方法としては、印刷機の後部ユニットを利用する方法、新たに印刷機や塗工機を連結する方法等が用いられる。尚、固定情報の印刷と異なる工程（オフライン方式）で、印刷機や塗工機を用いて塗工層を形成してもよい。
【００１６】
本発明の請求項２に記載の発明は請求項１に記載の印刷物作成方法であって、ａ．撮像工程において、被写体を撮像し被写体のデジタル画像データを生成する撮像手段がデジタルカメラであり、ｂ．変換工程において、デジタル画像データを印刷処理可能なプリントデータに変換する変換手段がパーソナルコンピュータであり、ｃ．印刷工程において、予め所定の固定情報が印刷された固定領域と、変動情報が印刷可能な変動領域と、を有する記録紙の変動領域に、変動情報としてプリントデータをインクジェット記録方式で印刷する印刷手段がインクジェット記録方式のプリンタである構成を有している。
【００１７】
この構成により、請求項１の作用に加え、以下のような作用が得られる。
（１）デジタルカメラを他の装置に接続せず、デジタルカメラ単体で被写体の撮像を行うことができるので、被写体の状態や位置に応じて、自由な位置や角度から撮像することができる。
（２）デジタル画像データをパーソナルコンピュータに読み込ませ、デジタル画像データをフォトショップ等（アドビシステムズ社商標）のアプリケーションソフトで加工することができるので、画像の合成や明るさやコントラストの調整をすることができ、所望の変動情報を出力することができる。
（３）インクジェット記録方式のプリンタを用いるので、意匠性に優れた印刷物を直ちに作成することができる。
（４）デジタルカメラと、パーソナルコンピュータと、プリンタと、を簡単に別々に取り外すことができるので、メンテナンス性に優れる。
【００１８】
本発明の請求項３に記載の発明は請求項１又は２に記載の印刷物作成方法であって、固定情報が広告情報であり、変動情報が印刷物を受け取る者の個人情報である構成を有している。
【００１９】
この構成により、請求項１又は２の作用に加え、以下のような作用が得られる。
（１）広告情報と個人情報が、同一の印刷物に印刷されているので、広告情報のみが印刷されている広告紙に比べて破棄されることが少なく、また、個人の部屋の壁等に飾られることもあり、長期的で確実な広告宣伝効果を得ることができる。
（２）例えば、広告情報としてスーパーやデパート、レストラン、旅館、ホテル等の広告と、個人情報として印刷物を提供される個人の写真と、が印刷されている場合は、商品のみが印刷された印刷物に比べて、長期的に保存される可能性や何度も見られる可能性が極めて高く、これにより、長期的で確実な広告宣伝効果を得ることができる。
（３）スーパーやデパート、レストラン、旅館、ホテル等の来店者（来場者）をその場で撮像し、広告情報が印刷された印刷物に来店者（来場者）の写真を印刷して、確実に来店者（来場者）自身の写真が印刷された印刷物を提供することができる。
ここで、印刷物作成方法が、ホテルや結婚式場で実施される場合には、広告情報としてそのサービス内容や建造物の写真等が印刷され、観光地で実施される場合には広告情報としてその観光名所の写真等が印刷され、デパートやスーパー等で実施される場合は広告情報として商品等が印刷される。
個人情報としては、印刷物を受け取る者の写真や家族写真等の印刷物を受け取る者に関連のある情報が印刷される。
広告情報としては、１又は複数の宿泊施設や販売店等の広告が用いられる。
【００２０】
本発明の請求項４に記載の発明は請求項１乃至３の内何れか一項に記載の印刷物作成方法であって、変動情報が印刷物を受け取る者の顔写真等の証明写真である構成を有している。
【００２１】
この構成により、請求項１乃至３の内何れか一項の作用に加え、以下のような作用が得られる。
（１）印刷物に個人の顔写真が印刷されるので、印刷物を個人の証明が重要な預金通帳や保険証書等として使用できる。
【００２２】
本発明の請求項５に記載の印刷物は、ａ．印刷用紙と、ｂ．印刷用紙にオフセット印刷等で印刷された固定情報と、ｃ．印刷用紙に塗工されインクジェット記録用インクがプリントされる塗工層と、ｄ．請求項１乃至４の内何れか一項に記載された印刷物作成方法で塗工層上に印刷された変動情報と、を備えている構成を有している。
【００２３】
（１）広告情報（固定情報）と個人情報（変動情報）が、同一の印刷物に印刷されているので、広告情報のみが印刷されている広告紙に比べて破棄されることが少なく、また、個人の部屋の壁等に飾られることもあり、長期的で確実な広告宣伝効果を得ることができる。
（２）例えば、固定情報としてスーパーやデパート、レストラン、旅館、ホテル等の広告と、変動情報として印刷物を提供される個人の写真と、が印刷されている場合は、商品のみが印刷された印刷物に比べて、長期的に保存される可能性や何度も見られる可能性が極めて高く、これにより、長期的で確実な広告宣伝効果を得ることができる。
（３）また、固定情報として、広告情報を印刷し、変動情報として固定情報に印刷された商品を販売する各販売店の広告情報を印刷することにより、１枚の印刷物に系列内の複数の販売店の広告を併せて載せることができ、広告戦略の多機能化、印刷物の統一化、広告費の削減化を図ることができる。
（４）固定情報として、複数の対象物を印刷し、変動情報として、個人情報を印刷することによって、（例えば、宿泊施設で印刷物を提供する場合は、固定情報として、宿泊施設、宿泊客が行くであろう観光名所、観光名所のキャラクターを印刷し、変動情報として、宿泊客の家族写真等を印刷することによって、）１枚の印刷物から複数の思い出が呼び起こすことのできる斬新でメモリアルな印刷物を提供できる。
【００２４】
ここで、印刷用紙としては、アート紙，コート紙，キャストコート紙，つや紙が用いられる。
固定情報は、オフセット印刷等の平版印刷，グラビア印刷等の凹版印刷，凸版印刷等で印刷される。
固定情報を印刷する印刷インクとしては、通常の油性インク，溶剤性インク，水性インク等が用いられる。
固定情報の印刷図柄としては、インクジェット記録方式で印刷する画像（変動情報）の部分を印刷しない、いわゆる‘抜き印刷’であってもよい。
塗工層を形成する塗工剤としては、カゼイン，合成蛋白等の蛋白質類，酸化でん粉，エステル化でん粉等の各種でん粉類，セルロース類，ポリビニルアルコール等，水に対して湿潤性を有するバインダー樹脂；カチオン変性ポリビニルアルコール類，アニオン変性ポリビニルアルコールの４級アンモニウム塩，ポリアクリルアミド，ポリアルキルアクリルアミド等，インクジェット記録用インクの着色剤として使用される染料の定着性に優れたバインダー樹脂；さらにはアクリル樹脂，ポリウレタン樹脂，ポリエステル樹脂等，接着性の良好なバインダー樹脂等から選択される１種または２種以上を適宜の溶剤に溶解，分解し、これにシリカ，アルミナゾル，硫酸バリウム，炭酸カルシウム，クレー，タルク等で、好ましくは多孔質で、層状あるいは板状の無機顔料やプラスチックピグメント等の１種または２種以上を分散させて得られ、さらに必要に応じて各種添加剤を含有する塗工剤を挙げることができる。
また、塗工層は１層であってもよく、２層以上を重ねて形成してもよい。また、印刷用紙の全面にわたって形成してもよく、部分的に形成してもよい。印刷物の全面、あるいは部分的であっても固定情報に重ねて塗工層を設ける場合は、広告情報を隠蔽しないように、極力、透明度の高い塗工層を形成することが好ましい。また、固定情報の印刷インクがにじみやブリードを起こさないように、インクを溶解させない塗工剤で塗工層を形成することが好ましい。固定情報が印刷されていない部分のみに塗工層を形成する場合は、透明，不透明いずれの塗工層を形成してもよい。
また、塗工層を形成する方法としては、ロールコーター，グラビアコーター，フレキソコーター，ブレードコーター，ロッドコーター，エアナイフコーター等の各種塗工機の他、平版印刷機，凸版印刷機，凹版印刷機の印刷ユニットが利用でき、その中でも、ロールコーター，グラビアコーター，フレキソコーター，および平版印刷機，凸版印刷機，凹版印刷機の印刷ユニットは、塗工層を部分的に設けることが可能である。さらに、アニロックスロールとゴムロールを備えるフレキソ方式の塗工機等を利用すると、容易に膜厚の厚い、たとえば膜厚が５〜２０μｍ程度の塗工層の形成ができ、より好適である。
また、特に固定情報の印刷インクが十分に乾燥していない状態でも、印刷面で平滑な塗工層を形成できる塗工剤を利用すると、固定情報の印刷と塗工層の形成が一連の工程（インライン方式）で行うことが可能であるという点から好適である。この様な塗工層用の塗工剤としては、要求される透明度や塗工適性を維持できる範囲で無機顔料やプラスチックピグメントを高濃度で含有するタイプのもの等が好ましく使用される。このインライン方式で塗工層を形成する方法としては、印刷機の後部ユニットを利用する方法、新たに印刷機や塗工機を連結する方法等が用いられる。尚、固定情報の印刷と異なる工程（オフライン方式）で、印刷機や塗工機を用いて塗工層を形成してもよい。
変動情報を印刷するインクジェット記録用インクとしては、水性，油性のもの等が用いられる。
【００２５】
【発明の実施の形態】
（実施の形態１）
本発明の実施の形態１における印刷物作成方法、印刷物について、以下図面を参照しながら説明する。
尚、本実施の形態１においては、レストランにおいて、印刷物作成方法が実施される場合について説明する。
【００２６】
図１は本実施の形態１における印刷物作成方法に用いる装置の一例を示す構成図である。
図１において、１は本実施の形態１における印刷物作成方法に用いる装置、２は撮像レンズにより得られた被写体の光像をＣＣＤで光電変換させ電気的な信号である光電変換データを生成し、それをＡ／Ｄ変換器でＡ／Ｄ変換させデジタル信号であるデジタル画像データを生成し、それをフラッシュメモリ等の記憶部に記憶する撮像手段であるデジタルカメラ、３はデジタルカメラ２の記憶部からデジタル画像データを読み込み、それをフォトショップ（アドビシステムズ社商標）等のアプリケーションソフトで加工し、後述のプリンタで印刷可能なプリントデータに変換する変換手段であるパーソナルコンピュータ、４はプリントデータに基づいて後述の印刷物に画像を印刷するインクジェット記録方式のプリンタ、５はデジタルカメラ２とパーソナルコンピュータ３を接続する通信ケーブル、６はパーソナルコンピュータ３とプリンタ４を接続する通信ケーブルである。
【００２７】
デジタルカメラ２が、カード型フラッシュメモリ等の着脱式の記憶部（メモリースティック（ソニー社商標）等）を有する場合は、デジタルカメラ２とパーソナルコンピュータ３を接続せず（通信ケーブル５を要せず）、デジタル画像データが記憶された記憶部をデジタルカメラ２から取り外し、パーソナルコンピュータ３に装着してデジタル画像データを読み込ませる場合もある。
また、デジタルカメラ２及びパーソナルコンピュータ３に代えて、デジタルカメラ内蔵式のコンピュータを使用する場合もある。これにより、デジタルカメラ２とパーソナルコンピュータ３を通信ケーブル５で接続する手間が省け、また、デジタルカメラ２とパーソナルコンピュータ３を別々に操作する必要がなく、作業性に優れる。
また、パーソナルコンピュータ３及びプリンタ４に代えて、デジタル画像データからプリントデータに変換する変換手段を有するプリンタを使用する場合もある。これにより、パーソナルコンピュータ３及び通信ケーブル５，６を要せず、デジタルカメラとプリンタを直接所定の通信ケーブルで接続するだけなので、配線の数が減ると共に装置全体が簡易化され、省スペース性に優れる。
さらに、デジタルカメラと変換手段とプリンタが一体化された装置を用いる場合もある。これにより、通信ケーブル５，６の配線をする必要がなく、装置全体の設置が容易になる。
また、通信ケーブル５，６を用いず赤外線等を用い、各々の装置間を無線通信させる場合もある。これにより、通信ケーブル５，６の配線をする必要がなく、装置全体の設置が容易になる。
【００２８】
図２（ａ）は本実施の形態１における固定情報が印刷された記録紙の模式図であり、図２（ｂ）は図２（ａ）のＡ−Ａ線における矢視拡大断面図であり、図３（ａ）は本実施の形態１における変動情報がインクジェット記録方式で印刷された印刷物の模式図あり、図３（ｂ）は図３（ａ）のＢ−Ｂ線における矢視拡大断面図である。
図２及び図３において、１１は本発明の実施の形態１におけるオフセット印刷等により後述の固定情報が印刷された記録紙、１１’は後述の固定情報がオフセット印刷された記録紙１１に変動情報がインクジェット記録方式で印刷された印刷物、１２はアート紙，コート紙，キャストコート紙，つや紙等の記録紙１１の基礎となる印刷用紙、１３は記録紙１１の固定領域、１３ａは固定領域１３にオフセット印刷等の平版印刷，グラビア印刷等の凹版印刷，凸版印刷等で印刷された印刷インクからなる固定情報である。本実施の形態１においては、固定情報として、レストラン名や料理の写真，地図等の広告情報が印刷されている。１４は固定情報１３ａが印刷された印刷用紙１２の変動領域１５に形成されたインクジェット記録用インクがプリントされる塗工層、１５は記録紙１１の変動領域、１５ａは変動領域１５の塗工層１４上にプリンタ４により印刷された変動情報である。本実施の形態１においては、変動情報１５ａとして、印刷物１１’が提供される来店者の写真や来店者に関連する情報（個人情報）が印刷される。
【００２９】
印刷用紙１２としては、上記のもの以外にも各種印刷方式においてインクが良好に印刷できる通常の印刷用紙が、特に制限無く利用可能である。
変動領域１５の形状としては、三角形状、星型状、雲型状、円形状、卵形状等が用いられる場合もある。
また、変動領域１５を複数配置する場合もある。これにより、複数の変動情報を印刷することができ、例えば、レストランにおいては、変動情報として日替わりメニューと来店者の写真を別々に印刷することができる。
また、変動領域１５の面積は、使用場所に応じてその大小が決定されるが、変動領域１５は印刷物１１’の面積の５／６〜１／４０、好ましくは１／２〜１／３０の面積に設定される。変動領域１５の面積が、印刷物１１’の面積の１／２より大きいと、広告等の固定情報１３ａが目立たなくなるとともに変動情報１５ａの印刷時間が長くなる傾向にあり、変動領域１５が印刷物１１’の面積の１／３０より小さいと、変動情報１５ａの印刷時間は短くなるが、個人写真等の変動情報１５ａが目立たなくなり、印刷物１１’を提供された個人が印刷物１１’を破棄する可能性が高くなる傾向にある。
塗工層１４は、変動領域１５のみに形成せず、印刷用紙１２全面に形成する場合もある。
【００３０】
以上のように構成された装置及び記録紙を用いた本発明の実施の形態１における印刷物作成方法について、以下図面を参照しながら説明する。
図４は本発明の実施の形態１における印刷物作成方法の手順を示すフローチャートである。
予め、レストランには、印刷物作成方法に用いる装置１と、固定領域１３に固定情報１３ａとして広告情報が印刷された記録紙１１と、を設置する（Ｓ１）。
まず、来店時や会計の際、又は来店中に来店者の写真（個人情報）を来店記念のサービス等としてデジタルカメラ２で撮像する（Ｓ２，撮像工程）。次いで、来店者のデジタル画像データをデジタルカメラ２から通信ケーブル５を介してパーソナルコンピュータ３に取り込み（Ｓ３）、画像の明るさや大きさ，コントラスト等の調整や合成，文字情報の入力等を行い、プリントデータに変換して（Ｓ４，変換工程）、インクジェット記録方式のプリンタ４に通信ケーブル６を介して出力する（Ｓ５）。プリンタ４において、固定情報１３ａとして広告情報が印刷された記録紙１１の変動領域１５に、プリントデータに基づいて来店者の写真（個人情報）が変動情報１５ａとして印刷され（Ｓ６，印刷工程）、広告情報と来店者の写真（個人情報）が混在する印刷物１１’が作成される。作成された印刷物１１’はその場で来店者に提供される。
【００３１】
以上のように構成された本発明の実施の形態１の印刷物作成方法、印刷物によれば、以下のような作用が得られる。
（１）プリンタ４によって印刷される範囲（変動領域１５）が限定されているので、用紙全体に印刷するのに比べて、印刷物１１’を早く作成することができるので、客を撮像した後、すぐに客に提供することができる。
（２）レストランに来店した客をその場で撮像し、広告情報が印刷された印刷物に客の写真を印刷して、確実に客自身の写真が印刷された印刷物１１’を提供することができる。
（３）デジタルカメラ２を他の装置に接続せず、デジタルカメラ２単体で被写体の撮像を行うことができるので、被写体の状態や位置に応じて、自由な位置や角度から撮像することができる。
（４）デジタル画像データをパーソナルコンピュータ３に読み込ませ、デジタル画像データをフォトショップ等（アドビシステムズ社商標）のアプリケーションソフトで加工することができるので、画像の合成や明るさやコントラストの調整をすることができ、所望の変動情報１５ａを出力することができる。
（５）インクジェット記録方式のプリンタ４を用いるので、意匠性に優れた印刷物１１を作成することができる。
（６）塗工層１４が形成されているので、インクジェット記録用インクのにじみやくすみがほとんどなく、きれいな画像が印刷された印刷物１１’を作成することができる。
（７）固定領域１３と変動領域１５が重なっている場合、すなわち、固定情報１３ａに重ねて変動情報１５ａを印刷する場合は、固定情報１３ａと変動情報１５ａとの間に塗工層が介在するので、固定情報１３ａの印刷用インクと変動情報１５ａのインクジェット記録用インクが接することがなく、油性の印刷インクに対して水性のインクジェット記録用インクというような異なるタイプの組み合わせでも、はじきや色むらが生じない。
（８）変動領域１５のみに塗工層１４が形成されているので、塗工層形成用の塗工剤の使用量を少なくすることができるので、低原価で生産することができる。
（９）広告情報と来店者の写真（個人情報）が、同一の印刷物に印刷されているので、広告情報のみが印刷されている広告紙に比べて破棄されることが少なく、また、長期的に保存され、個人の部屋の壁等に飾られることもあり、長期的で確実な広告宣伝効果を得ることができる。
（１０）レストランの来店記念のサービスとして実施することにより、集客効果に優れる。
尚、本実施の形態１においては、印刷物作成方法がレストランで実施される場合について説明したが、ホテルや結婚式場，観光地，デパート，スーパー，自動車販売店，販売促進のための展示場等においても、同様に実施可能である。ホテルや結婚式場で実施される場合には、固定情報としてそのサービス内容や建造物の写真等が印刷され、観光地で実施される場合には固定情報としてその観光名所の写真等が印刷され、デパートやスーパー，自動車販売店，販売促進のための展示場等で実施される場合は固定情報として商品等が印刷される。
また、本実施の形態１においては、広告情報として、レストランの広告のみが印刷されたものを用いたが、広告情報として、レストランの広告に加えて、他の販売店の広告を印刷する場合もある。
また、本実施の形態１においては、変動情報として、個人情報を印刷したが、デパートやスーパーで実施される場合は、変動情報として日替目玉商品等を印刷する場合もある。これにより、日毎に印刷用紙全面を印刷する必要がなく、変動情報のみの印刷を行えばよいので、低原価で広告紙を作成することができ、生産性に優れる。
【００３２】
（実施の形態２）
次に、実施の形態１と同様の装置を用いた本発明の実施の形態２における印刷物作成方法、印刷物を、それが遊園地の入場口で実施され作成された印刷物を遊園地のフリーパスポート（入園時に料金を支払うことによって受け取ることができ、遊園地内の所定の施設が無料で使用できるもの）として用いる場合について、以下図１，図５（ａ），（ｂ）を参照しながら説明する。
尚、本実施の形態２が実施の形態１と異なる点は、使用する記録紙が異なる点と印刷物作成方法を実施する場所が異なる点である。
図５（ａ）は本実施の形態２における記録紙の模式図であり、図５（ｂ）は本実施の形態２における印刷物の模式図である。
図５において、２１は本実施の形態２における記録紙、２１’は記録紙２１に後述の変動情報が印刷された印刷物、２２は記録紙２１の固定領域、２２ａは固定領域２２に印刷された遊園地名や無料で使用することができる施設名、遊戯施設やキャラクターの写真等の固定情報、２３は塗工層（図示せず）が形成された記録紙２１の変動領域、２３ａは変動領域２３に印刷された入園者の顔写真等の変動情報である。
【００３３】
以上のように構成された装置及び印刷物を用いた本発明の実施の形態２における印刷物作成方法について、以下図面を参照しながら説明する。
まず、入場口において、印刷物２１（フリーパスポート）を発行する際に、入園者の顔写真（個人情報）をデジタルカメラ２で撮像する。次いで、顔写真のデジタル画像データをデジタルカメラ２からパーソナルコンピュータ３に取り込み、画像の明るさや大きさ，コントラスト等の調整や合成を行い、プリントデータに変換してインクジェット記録方式のプリンタ４に出力する。プリンタ４において、固定情報２２ａが印刷された記録紙２１に、プリントデータに基づいて入園者の顔写真（個人情報）が変動情報２３ａとして印刷され、施設名や遊園地名等の諸事項と客の顔写真（個人写真）が混在する印刷物２１’が作成される。作成された印刷物２１’はその場で入園者に提供される。
【００３４】
以上のように構成された本発明の実施の形態２の印刷物作成方法、印刷物によれば、以下のような作用が得られる。
（１）施設名や遊園地名等の諸事項（固定情報２２ａ）は予め印刷されており、入園者がフリーパスポート（印刷物２１’）を購入する際は、顔写真（変動情報２３ａ）を印刷するだけなので、入園者を待たせることなくフリーパスポート（印刷物２１’）を提供することができる。
（２）フリーパスポート（印刷物２１’）に来園者の顔写真（個人情報）が印刷されているので、施設毎の係員が顔写真で本人かどうか判断することができ、フリーパスポートが悪用される（例えば、他人のフリーパスポートで施設を利用する等）ことを少なくすることができる。
（３）フリーパスポート（印刷物２１’）に顔写真（変動情報２３ａ）が印刷されているので、入園者が自宅などに戻ってもフリーパスポートを保存する可能性が高く、それを他人が見ることにより、遊園地の広告宣伝効果が自ずと高まる。
尚、本実施の形態２においては、印刷物２１’をフリーパスポートとして使用する場合について説明したが、銀行や郵便局等において印刷物を証明写真入りの預金通帳や、交通機関の定期券、社員証、パスポート等として提供することも可能である。これにより、預金通帳が悪用されることを少なくすることができる。
【００３５】
【発明の効果】
以上のように本発明の印刷物作成方法、印刷物によれば、以下のような有利な効果が得られる。
請求項１に記載の発明によれば、以下の効果を有する。
（１）予め、広告や風景、文字等（固定情報）が印刷された記録紙に、撮像工程によって、撮像された個人写真や日替わり商品等（変動情報）を印刷することができるので、ＴＰＯに応じてメモリアルな印刷物を作成することができる。
（２）予め、広告や風景、文字等（固定情報）が印刷されており、被写体を撮像した後は、変動領域に被写体の画像を印刷するだけなので、被写体を撮像してから印刷物を出力するまでの時間が短く、従来の記録紙全面にインクジェット記録方式で印刷するのに比べて、印刷物を迅速に作成することができ、また、インクジェット記録用インクの使用量を抑制することができ、生産性に優れる。
（３）インクジェット記録方式の印刷手段を用いるので、迅速に、かつ意匠性に優れた印刷物を低原価で作成することができる。
（４）予め、記録紙に固定情報が印刷されているので、固定情報を記憶するための記憶部を必要とせず、また、固定情報と変動情報を合成する必要が無いので高性能なコンピュータを必要とせず、従来の技術に比べて簡単な構成の装置で実施することが可能である。
（５）また、固定情報として、広告情報を印刷し、変動情報として固定情報に印刷された商品を販売する各販売店の広告情報を印刷することにより、１枚の印刷物に系列内の複数の販売店の広告を併せて載せることができ、広告戦略の多機能化、印刷物の統一化、広告費の削減化を図ることができる。
（６）固定情報として、複数の対象物を印刷し、変動情報として、個人情報を印刷することによって、（例えば、宿泊施設で印刷物を提供する場合は、固定情報として、宿泊施設、宿泊客が行くであろう観光名所、観光名所のキャラクターを印刷し、変動情報として、宿泊客の家族写真等を印刷することによって、）１枚の印刷物から複数の思い出が呼び起こすことのできる斬新でメモリアルな印刷物を提供できる。
（７）鮮明な固定情報が印刷された印刷物を作成することができる。
（８）記録紙が、低原価で大量生産されるので、印刷物の原価も抑えることができ、生産性に優れる。
（９）インクジェット記録用インクのにじみやくすみがほとんどなく、きれいな画像が長期間保存される印刷物を作成することができる。
（１０）固定領域と変動領域が重なっている場合、すなわち、固定情報に重ねて変動情報を印刷する場合は、固定情報と変動情報との間に塗工層が介在するので、固定情報の印刷用インクと変動情報のインクジェット記録用インクが接することがなく、油性の印刷インクに対して水性のインクジェット記録用インクというような異なるタイプの組み合わせでも、はじきや色むらが極めて生じにくい。
【００３９】
請求項２に記載の発明によれば、請求項１の効果に加え、以下の効果を有する。
（１）デジタルカメラを他の装置に接続せず、デジタルカメラ単体で被写体の撮像を行うことができるので、被写体の状態や位置に応じて、自由な位置や角度から撮像することができる。
（２）デジタル画像データをパーソナルコンピュータに読み込ませ、デジタル画像データをフォトショップ等（アドビシステムズ社商標）のアプリケーションソフトで加工することができるので、画像の合成や明るさやコントラストの調整をすることができ、所望の変動情報を出力することができる。
（３）インクジェット記録方式のプリンタを用いるので、意匠性に優れた印刷物を直ちに作成することができる。
（４）デジタルカメラと、パーソナルコンピュータと、プリンタと、を簡単に別々に取り外すことができるので、メンテナンス性に優れる。
【００４０】
請求項３に記載の発明によれば、請求項１又は２の効果に加え、以下の効果を有する。
（１）広告情報と個人情報が、同一の印刷物に印刷されているので、広告情報のみが印刷されている広告紙に比べて破棄されることが少なく、また、個人の部屋の壁等に飾られることもあり、長期的で確実な広告宣伝効果を得ることができる。
（２）例えば、広告情報としてスーパーやデパート、レストラン、旅館、ホテル等の広告と、個人情報として印刷物を提供される個人の写真と、が印刷されている場合は、商品のみが印刷された印刷物に比べて、長期的に保存される可能性や何度も見られる可能性が極めて高く、これにより、長期的で確実な広告宣伝効果を得ることができる。
（３）スーパーやデパート、レストラン、旅館、ホテル等の来店者（来場者）をその場で撮像し、広告情報が印刷された印刷物に来店者（来場者）の写真を印刷して、確実に来店者（来場者）自身の写真が印刷された印刷物を提供することができる。
【００４１】
請求項４に記載の発明によれば、請求項１乃至３の内何れか一項の効果に加え、以下の効果を有する。
（１）印刷物に個人の顔写真が印刷されるので、印刷物を個人の証明が重要な預金通帳や保険証書等として使用できる。
【００４２】
請求項５に記載の発明によれば、以下の効果を有する。
（１）広告情報（固定情報）と個人情報（変動情報）が、同一の印刷物に印刷されているので、広告情報のみが印刷されている広告紙に比べて破棄されることが少なく、また、個人の部屋の壁等に飾られることもあり、長期的で確実な広告宣伝効果を得ることができる。
（２）例えば、固定情報としてスーパーやデパート、レストラン、旅館、ホテル等の広告と、変動情報として印刷物を提供される個人の写真と、が印刷されている場合は、商品のみが印刷された印刷物に比べて、長期的に保存される可能性や何度も見られる可能性が極めて高く、これにより、長期的で確実な広告宣伝効果を得ることができる。
（３）また、固定情報として、広告情報を印刷し、変動情報として固定情報に印刷された商品を販売する各販売店の広告情報を印刷することにより、１枚の印刷物に系列内の複数の販売店の広告を併せて載せることができ、広告戦略の多機能化、印刷物の統一化、広告費の削減化を図ることができる。
（４）固定情報として、複数の対象物を印刷し、変動情報として、個人情報を印刷することによって、（例えば、宿泊施設で印刷物を提供する場合は、固定情報として、宿泊施設、宿泊客が行くであろう観光名所、観光名所のキャラクターを印刷し、変動情報として、宿泊客の家族写真等を印刷することによって、）１枚の印刷物から複数の思い出が呼び起こすことのできる斬新でメモリアルな印刷物を提供できる。
【００４３】
【図面の簡単な説明】
【図１】本発明の実施の形態１における印刷物作成方法に用いる装置の一例を示す構成図
【図２】（ａ）本発明の実施の形態１における記録紙の模式図
（ｂ）図２（ａ）のＡ−Ａ線における断面図
【図３】（ａ）本発明の実施の形態１における印刷物の模式図
（ｂ）図３（ａ）のＡ−Ａ線における断面図
【図４】本発明の実施の形態１における印刷物作成方法の手順を示すフローチャート
【図５】（ａ）本発明の実施の形態２における記録紙の模式図
（ｂ）本発明の実施の形態２における印刷物の模式図
【符号の説明】
１  印刷物作成方法に用いる装置
２  デジタルカメラ
３  パーソナルコンピュータ
４  プリンタ
５，６  通信ケーブル
１１  記録紙
１１’  印刷物
１２  印刷用紙
１３  固定領域
１３ａ  固定情報
１４  塗工層
１５  変動領域
１５ａ  変動情報
２１  記録紙
２１’  印刷物
２２  固定領域
２２ａ  固定情報
２３  変動領域
２３ａ  変動情報
【図１】
0003862949.tif 000002
【図２】
0003862949.tif 000003
【図３】
0003862949.tif 000004
【図４】
0003862949.tif 000005
【図５】
0003862949.tif 000006